(57)【要約】【課題】レバーアームタイプのカポの改善。【解決手段】弦楽器用のカポ１０は、上腕１２、下腕１６及びレバーアーム２４を含む。上腕１２は、弦４上でフィンガーボードを横断して延在するように構成され、側腕は、上腕に接続され、楽器の首部２の略横方向に延在する。下腕１８は、下腕回転部２０にて側腕１６に回転可能に取り付けられた一端を有し、閉じ位置にあるときに楽器の首部の背後に当接するように構成される。レバーアームは、下腕の回転取り付け部２０から離間した回転部２６にて側腕１６に回転可能に取り付けられた一端を有する。カポは、調整機構２８，３３４を更に含み、調整機構は、レバーアーム２４から調整可能な量で延在及び突出し、下腕２４に接して支持する先端部３２を有する。付勢構造３８，１１２，２１２は、上腕１２から離れる方向で開位置に向けて下腕１６を付勢する。調整機構３３４の動作ライン及び軸は、レバーアーム回転部３２６の回転軸３３２を通る。【選択図】図１
2010145998.tif 000002
【特許請求の範囲】
【請求項１】
フィンガーボード、後部、及び、前記フィンガーボード上を長手方向に延在する複数の弦を有する首部を有する弦楽器用のカポであって、
弦上で前記フィンガーボードを横断して延在するように構成された上腕、及び、前記上腕に接続され、前記上腕に対して斜めに延在し、前記首部の略横方向に延在するよう構成される側腕と、
下腕回転部にて前記側腕に回転可能に取り付けられた一端を有し、使用時、閉じ位置にあるときに前記楽器の首部の背後に当接するように構成された下腕と、
前記下腕の回転取り付け部から離間した回転部にて前記側腕に回転可能に取り付けられた一端を有するレバーアームと、
前記レバーアームから調整可能な量で延在及び突出し、前記下腕に接して支持する端部を有し、前記レバーアームに搭載され前記レバーアームと共に回転可能である調整機構と、
前記上腕から離れる方向で開位置に向けて前記下腕を付勢する付勢構造とを含む、カポ。
【請求項２】
前記調整機構の動作ラインであって、前記下腕に接して支持する前記端部が該動作ラインに沿って可動である動作ラインは、前記側腕への前記レバーアームの回転取り付け部の回転軸を通る、請求項１に記載のカポ。
【請求項３】
フィンガーボードを有する首部、後部、及び、前記フィンガーボード上を長手方向に延在する複数の弦を有する弦楽器用のカポであって、
弦上で前記フィンガーボードを横断して延在するように構成された上腕、及び、前記上腕に接続され、前記上腕に対して斜めに延在し、前記首部の略横方向に延在するよう構成される側腕と、
下腕回転部にて前記側腕に回転可能に取り付けられた一端を有し、使用時、閉じ位置にあるときに前記楽器の首部の背後に当接するように構成された下腕と、
前記下腕の回転取り付け部から離間した回転部にて前記側腕に回転可能に取り付けられた一端を有するレバーアームと、
前記レバーアームから調整可能な量で延在及び突出し、前記下腕に接して支持する端部を有し、前記レバーアームに搭載され前記レバーアームと共に回転可能である調整機構と、
前記調整機構の動作ラインは、前記側腕への前記レバーアームの回転取り付け部を通る、カポ。
【請求項４】
前記上腕から離れる方向で開位置に向けて前記下腕を付勢する付勢構造を更に含む、請求項３に記載のカポ。
【請求項５】
前記下腕に作用するスプリングを含む、請求項１〜４のうちのいずれか１項に記載のカポ。
【請求項６】
前記スプリングは、下腕とレバーアームの間に作用する、請求項５に記載のカポ。
【請求項７】
下腕とレバーアームの間に作用するスプリングを含む、請求項１〜６のうちのいずれか１項に記載のカポ。
【請求項８】
前記スプリングは、捩りばねを含む、請求項７に記載のカポ。
【請求項９】
前記レバーアームを前記下腕に向けて付勢する付勢手段を更に備える、請求項１〜８のうちのいずれか１項に記載のカポ。
【請求項１０】
前記レバーアームは、前記下腕を内部に受け入れ可能な凹溝を画成する底壁及び立ち上がり側壁を有する、請求項１〜９のうちのいずれか１項に記載のカポ。
【請求項１１】
前記レバーアームの回転を制限するストッパを更に備える、請求項１〜１０のうちのいずれか１項に記載のカポ。
【請求項１２】
前記レバーアームの回転部は、下腕の回転部よりも前記上腕から遠くに離間される、請求項１〜１１のうちのいずれか１項に記載のカポ。
【請求項１３】
前記調整機構は、螺子穴に受けられるスクリュー螺子部を有する調整部材を含む、請求項１〜１２のうちのいずれか１項に記載のカポ。
【請求項１４】
前記調整部材は、搭載穴内にかぎ挿入され、前記調整部材の軸方向の移動を可能とするが前記搭載穴内で前記調整部材を回転方向で固定する、請求項１３に記載のカポ。
【請求項１５】
前記螺子穴は、螺子穴部材に形成され、該螺子穴部材は、レバーアームに対して回転可能である軸方向に固定される、請求項１３又は１４に記載のカポ。
【請求項１６】
螺子穴部材は、レバーアームにおける対応する穴内に受け入れられる、請求項１５に記載のカポ。
【請求項１７】
前記穴は、段付きの穴であり、前記螺子穴部材は、前記螺子穴部材を軸方向に保持するためにレバーアーム内の段付き穴に当接する肩部を有する、請求項１６に記載のカポ。
【請求項１８】
前記レバーアームの穴は、外周のボスを有し、該ボスの上に、前記螺子部材を回転させるためにノブが搭載される、請求項１６又は１７に記載のカポ。
【請求項１９】
前記レバーアームの回転部は、調整螺子部材を受け入れるために回転ロッドの軸に垂直な交差穴を有する回転ロッドを含む、請求項１３〜１８のうちのいずれか１項に記載のカポ。
【請求項２０】
前記調整機構は、前記レバーアームの回転部を通って延在する、請求項１〜１９のうちのいずれか１項に記載のカポ。
【請求項２１】
前記調整機構は、前記レバーアームの回転部から横方向に離間する、請求項１に記載のカポ。
【請求項２２】
調整機構は、前記レバーアームの螺子穴内に受け入れられるスクリュー螺子部を有する調整部材を含む、請求項２１に記載のカポ。
【発明の詳細な説明】
【技術分野】
【０００１】
本発明は、弦楽器用カポに関し、特には、レバーアーム型カポに対する改善に関する。
【背景技術】
【０００２】
カポは、時々、カポダストロ、カポダスタ、カポタスト若しくはセヒージャ(cejilla)と広範に呼称され、例えばギターやバンジョーのような弦楽器で使用される公知のデバイスであり、首部と、首部の全長に沿って延在する弦のセットとを有する。カポは、適用されたとき、首部に沿って設けられるフィンガーボードに対して、特に、フィンガーボードの全長に沿って配置される多数のフレットバーの１つに対して、弦をクランプする役割を果たし、弦の実効長を低減し、それゆえに、弦により生成されるピッチを調整する。
【０００３】
異なる基本タイプに分離される、膨大な数の異なるカポが存在する。各異なるタイプのカポは、非常に異なる利点及び技術的な考慮を有する。演奏家は、しばしば、異なる種類のカポに対する好みを有する。製造業者は、従来的には、異なるタイプのカポの異なる特性や異なるタイプに対する顧客の好みに起因して、異なるタイプのカポを別に独立して開発する。
【０００４】
カポの１つのタイプは、レバーアームタイプのポジティブロック式カポである。この種類のカポの市販で成功した例は、特許文献１に開示される。このカポは、弦に接して支持する上腕であって、楽器首部の横方向に延在する側腕に接続される上腕を含む。側腕に回転可能に取り付けられるのは、楽器首部の背後の下方を延在する下腕と、下腕の下方に位置するレバーアームである。調整スクリューは、レバーアームを通って延在し、レバー部材が歯部材に向かって回転されるときに下腕の下側表面に接して支持する。レバー部材が下腕に向かって回転される際、調整スクリューの先端は、レバーアームの後方当接面に当接し、下腕を上腕に向けて付勢し、これにより、下腕の上面は、楽器首部の背後に係合し、上腕は、首部の上部上のフィンガーボードに対して弦を押す。この構成では、更なるレバーアームの回転は、調整スクリューの先端が、背後の当接面に沿って下腕のオーバセンタポイントへと移動しそれを超え調整アームの先端による下腕の最大の撓みを生じさせる。当該ポイントにて、レバーアームは、その際、下腕に接するように付勢され、下腕は、その際、閉じ位置でロックされる。調整スクリューは、歯部材がカポのオーバセンタポイントの前でロックに近づく範囲で変化するために前進若しくは後退されることができ、これにより、楽器首部の可変サイズをカポが吸収することを可能とし、また、楽器弦上にカポにより付加される圧力をユーザが調整することを可能とする。
【先行技術文献】
【特許文献】
【０００５】
【特許文献１】US４，２５０，７９０
【特許文献２】US５，７９２，９６９
【特許文献３】WO９８４９６６９
【特許文献４】US2005/0087056
【特許文献５】US３６０，６１２
【特許文献６】US４６８，１９３
【特許文献７】US4,149,443
【特許文献８】US4,104,947
【特許文献９】US2008/016882
【発明の概要】
【発明が解決しようとする課題】
【０００６】
多年に亘る特許文献１に開示されるようなカポの商業的な成功にも拘わらず、このカポが利用可能である時間にも拘わらず、現在に至るまで、認識されず若しくは対処されていない、見過ごされてきた問題点がある。特に、この種のカポは、実際には、楽器に装着させるのに一般的に２つの手を必要とし、比較的適用が困難であるという事実である。更に、カポが使用されておらず楽器に取り付けられているとき、アームは、垂れ下がり自由に回転しはためきやすく、ギター首部への簡易な適用を妨げる。更に、調整スクリュー及びリンクは、種々の横力及びせん断力を受ける。これは、組立体内に応力を起こし、また、調整スクリューへの横力に関連して、螺子上の摩擦を増加させ、調整をより困難にする。作業は、特に、改善されたロッキングを提供し“落下”抵抗を防ぐために改善される。下腕に対する調整スクリューの位置の誤りは、特に、カポの動作範囲を横断する差分の“落下”をもたらす。実際、この問題に対処するためのこのカポに対する改善は、特許文献２，３に開示され、その他の類似の構成が特許文献４に開示される。カポの全体の外観も改善されることができる。
【０００７】
レバーアーム型のカポの他の例は、特許文献５−９にも開示される。特許文献５乃至７は、何年も前のものであるが、ポジティブロックを達成しつつ首部の異なるサイズを吸収するための適切な調整構造を含まない。特許文献６及び９に関して、特に、ロックは、ポジティブにロックされない態様で、スプリング荷重により達成され、ロック及び荷重が理想よりも小さく、弦はクリスプ調を与えるほど十分にクランプされない場合があり、及び／又は、カポが外れる場合がある。
【０００８】
かかるレバータイプのカポ、特に調整可能なレバーアームタイプのカポは、それゆえに、更に改善されることができる。
【０００９】
それ故に、既存の構成に対して改善若しくは代替をより実質的に提供し及び／又は上述の問題点の少なくともいくらかを対処する、改善された調整可能なレバーアームタイプのカポを提供することが望ましい。
【課題を解決するための手段】
【００１０】
本発明によれば、それ故に、添付の請求項に記載されるようなカポが提供される。
【００１１】
本発明の第１局面の一実施例では、フィンガーボード、後部、及び、前記フィンガーボード上を長手方向に延在する複数の弦を有する首部を有する弦楽器用のカポが提供される。カポは、上腕、下腕、レバーアーム及び調整機構を含む。上腕は、弦上でフィンガーボードを横断して延在するように構成され、側腕は、上腕に接続され、上腕に対して斜めに延在し、首部の略横方向に延在する。下腕は、下腕回転部にて側腕に回転可能に取り付けられた一端を有し、閉じ位置にあるときに楽器の首部の背後に当接するように構成される。レバーアームは、下腕の回転取り付け部から離間した回転部にて側腕に回転可能に取り付けられた一端を有する。調整機構は、レバーアームから調整可能な量で延在及び突出し、下腕に接して支持する先端部を有する。調整機構は、レバーアームに搭載されレバーアームと共に回転可能である。付勢構造は、上腕から離れる方向で開位置に向けて下腕を付勢する。
【００１２】
この構造は、下腕及び従ってカポが開状態に保持されることを保証し、カポの装着を容易にする。また、これは、下腕の移動を制限し、不使用時で首部に装着されるときに、垂れ下がりを防止する。
【００１３】
好ましくは、下腕に接して支持する端部が沿って移動可能な調整機構の作動ラインは、側腕へのレバーアームの回転取り付け部の回転軸を通る。或いは、調整機構は、レバーアームの回転部から横方向に離間する。
【００１４】
本発明の第２局面の一実施例では、フィンガーボード、後部、及び、前記フィンガーボード上を長手方向に延在する複数の弦を有する首部を有する弦楽器用のカポが提供される。カポは、上腕、下腕、レバーアーム及び調整機構を含む。上腕は、弦上でフィンガーボードを横断して延在するように構成され、側腕は、上腕に接続され、上腕に対して斜めに延在し、首部の略横方向に延在する。下腕は、下腕回転部にて側腕に回転可能に取り付けられた一端を有し、閉じ位置にあるときに楽器の首部の背後に当接するように構成される。レバーアームは、下腕の回転取り付け部から離間した回転部にて側腕に回転可能に取り付けられた一端を有する。調整機構は、レバーアームから調整可能な量で延在及び突出し、下腕に接して支持する先端部を有する。調整機構は、レバーアームに搭載され、レバーアームと共に回転可能であり、調整機構の動作ラインは、側腕へのレバーアームの回転取り付け部を通る。より具体的には、好ましくは、調整機構は、レバーアーム回転部を通って延在する。
【００１５】
調整機構の動作ラインが、側腕へのレバーアームの回転取り付け部を通る場合、調整機構上の横方向の荷重は、低減され、レバーアーム及びカポの応力は低減される。更に、かかる構造は、よりコンパクトな一体化組立体を提供する。
【００１６】
付勢構造は、好ましくは、上腕から離れる方向で開位置に向けて下腕を付勢する。特に好ましくは、調整手段は、より好ましくは、下腕に作用するスプリングを含み、レバーアームを下腕に向けて付勢する。スプリングは、下腕とレバーアームの間に作用してもよく、及び／又は、下腕と側フレームの間に作用するスプリング（好ましくはねじりばね）を含んでよい。
【００１７】
レバーアームは、下腕を内部に受け入れ可能な凹溝を画成する底壁及び立ち上がり側壁を有する。これは、下腕を収容し、下腕を保護する。
【００１８】
レバーアームの回転を制限するストッパが設けられてもよい。
【００１９】
レバーアームの回転部は、好ましくは、下腕の回転部よりも上腕から遠くに離間される。
【００２０】
調整機構は、螺子穴に受けられるスクリュー螺子部を有する調整部材を含んでよい。調整部材は、好ましくは、穴内にかぎ挿入され、調整部材の軸方向の移動を可能とするが穴内で調整部材の回転方向を固定する。螺子穴は、最も好ましくは、螺子穴部材に形成され、該螺子穴部材は、レバーアームに対して回転可能である軸方向に固定され、好ましくは、レバーアームにおける対応する穴内に受け入れられる。穴は、段付きの穴を含んでよく、螺子穴部材は、螺子穴部材を軸方向に保持するためにレバーアーム内の段付き穴に当接する肩部を有してもよい。レバーアームの穴は、周囲のボスを有してよく、該ボスの上に、螺子部材を回転させるためにノブが搭載される。
【００２１】
好ましくは、レバーアームの回転部は、調整螺子部材を受け入れるために回転ロッドの軸に垂直な交差穴を有する回転ロッドを含む。或いは、調整機構は、レバーアームの螺子穴内に受け入れられるスクリュー螺子部を有する調整部材を含む。
【図面の簡単な説明】
【００２２】
【図１】開位置のカポを備える第１実施例によるカポの斜視図。
【図２】カポが閉位置である図１に示すカポの斜視図。
【図３】閉位置にある図２に示すカポの断面図。
【図４】閉位置にある第２実施例によるカポの斜視図。
【図５】図４に示すカポの側面図。
【図６】開位置にある図４に示すカポの側面図。
【図７】部分的な開位置にある第３実施例によるカポの斜視図。
【図８】図７に示すカポの側腕への下腕の回転可能な搭載部のより詳細な図。
【図９】図７に示すカポの側面図。
【図１０】第４実施例によるカポの分解斜視図。
【図１１】閉位置にあり組み立てられた図１０に示すカポの断面図。
【発明を実施するための形態】
【００２３】
以下、本発明が、図面を一例として参照しつつ、説明される。
【００２４】
次の本発明の説明では、ある用語法が参照のためのみ用いられるが、限定的な意図でない。“上”、“下”、“下方”、“右”、“左”、“時計方向”及び“反時計方向”のような用語は、参照がなされる図面中の方向を指す。“内側”及び“外側”のような用語は、言及される要素の幾何的に中心に向かう方向及び離れる方向をそれぞれ指す。“前”、“後”、“横”、“左側”、“右側”、“上部”、“底部”、“水平”及び“鉛直”は、議論下にある構成要素を説明する関連図面及び文字を参照することによって明らかにされる参照の一定の任意的なフレーム内の構成要素の部位の方向を指す。かかる用語法は、具体的に上述した文字、その派生、及び類似の意味の文字を含むだろう。
【００２５】
図１乃至図３を参照するに、第１実施例によるカポ１０は、上部の弦係合アーム１２を含み、弦係合腕１２は、使用時に、楽器の首部２を横断して延在するように構成され、楽器の弦４に上方から接し、閉位置にあるとき、首部２に対して弦４をクランプする。上腕１２は、好ましくは、その下方の弦係合表面上に弾性ゴム若しくはその類のパッドを含み、この実施例では、弦との係合を緩衝するために上腕１２に装着されるスリーブ１４を含む。楽器の首部２の横方向に使用時に装着されるように構成された側腕１６は、上腕１２の一端から延在し、この実施例では、上腕１２の一端に一体的に接続される。下腕１８は、回転部２０にて回転可能に側腕１６に接続され、回転部２０は、側腕１６に沿った途中に位置し、側腕１６の遠い方の端部と上腕１２に接続される側腕１６の端部との間に位置する。下腕１８は、使用時に首部２の後部の背後に延在するように構成され、首部２の後部の曲線に実質的に適合するように湾曲される。下腕１８の上側は、好ましくは、首部に係合する弾性パッド若しくはクッション２２を担持する。側腕１６に接続される下腕１８の端部は、好ましくは、側腕を受け入れるような大きさが間に存在する長穴１９を画成する２つの側方突起部１７を含む。回転ピン２０は、側方突起部１７内の穴２１を通過し、これにより、側腕１６に下腕１８を回転可能に接続する。
【００２６】
レバーアーム２４は、下腕１８から離された位置で、この実施例では下腕１８の接続部の下方且つ側腕１８の遠い側の端部近傍で回転部２６により側腕１６に回転可能に接続される。側腕１６は、レバーアーム回転部２６の近傍の側腕の遠い側の端部から延在し突出する端部ストッパフランジ４０を含む。この端部ストッパフランジ４０は、レバーアーム２４に当接するように構成され、レバーアーム２４及びそれに伴いカポ１０の全開位置を超えるレバーアーム２４の更なる回転を防止し制限する。これは、腕１８，２４のばたつきを防止するのに必要な量を超えるレバーアーム２４の移動を制限する。認識可能なように、他のストッパ構造は、レバーアーム２４の回転を制限するために使用されうる。例えば、ストッパフランジ４０は、側腕１６でなくレバーアーム２４に設けられうる。更に、下腕１８の移動は、側腕１６との長穴１９の端部の当接により制限される。更に以下で説明するように、下腕１８とレバーアーム２４をスプリング３８により接続することによって、レバーアーム２４の移動は、下腕１８の移動のかかる制限によっても実質的に制限される。
【００２７】
調整スクリュー２８は、レバーアーム１８から突出し延在し、これにより、レバーアーム１８と共に回転する。この実施例では、調整スクリュー２８は、レバーアーム２４に沿った途中のレバーアーム回転部２６から離間した螺子穴３０内に受け入れられる。調整スクリュー２８は、その遠い側の端部に先端３２を有し、先端３２は、レバー部材２４が下腕１８に向かって回転されるときに、下腕１８の下側表面３４に当接し支持するように構成される。スクリュー２８の他端上のノブ３６による調整スクリュー３２の回転は、スクリュー２８の先端３２を後退若しくは前進させ、レバーアーム２４から調整スクリュー２８の先端３２が延在し突出する距離を変化させる。
【００２８】
使用時、開構成のカポ１０（図１参照）は、楽器の首部２に装着され、上腕１２は、弦１８上に弦１８の略横方向に着座し、下腕１８は、首部１３の後部の下方に位置する。カポ１０が首部２に沿った所望の位置にセットされると、レバーアーム２４は、上腕１２に向かって上方向に回転される。レバーアーム２４が下腕１８に向かって回転される際、調整スクリュー２８の先端３２は、円弧でスイングし、その径は、調整スクリュー２８を回転することによって変化されることができる。先端３２は、上腕１２に向かって下腕１８を付勢する下腕１８の後部当接面３４に当接し、これにより、下腕１８及びパッド２２は、楽器首部２の後部に係合し、上腕１２は、首部２の上側のフィンガーボードを押す。先端３２の構成及び円弧状の動きは、レバーアーム２４の更なる回転が、調整スクリュー２８の先端３２を、後部当接面３４に沿って、オーバセンタポイント及び先端３２及びレバーアーム２４により上腕１２に向かう下腕１８の最大たわみへと移動させ更にそれを超えて移動させるように構成される。このポイントでは、レバーアーム２４は、この際、下腕１８に向けて下腕１８に接するように付勢され、下腕１８は、この際、首部２に当接するときに閉位置でロックされる。閉／ロック位置（図３）のレバーアーム２４は、下腕１８下方で上腕１２に対して上方の傾斜をもって延在する。調整スクリュー２８は、下腕１８がオーバセンタポイントに接近しカポ１０のロックが到達する範囲を変更するために前進若しくは後退されてもよい。これは、カポ１０が楽器首部２の種々のサイズを吸収することを可能とし、また、ユーザがカポ弦６にカポ１０による付加される圧力を調整することを可能とする。
【００２９】
カポ１０は、この実施例では、更に、下腕１８及びレバーアーム２４の間に接続され作用するコイルねじりばね３８を含む。ばね３８は、好ましくは、下腕１８及びレバーアーム２４の全ての位置及び調整スクリュー２８の全ての位置内で、伸張され張力下にあるように、未伸張時の自然長を有して構成される。ばね３８は、これにより、下腕１８がレバーアーム２４と共に動くように、レバーアーム２４に下腕１８を接続する。特に、ばね３８は、レバーアーム２４が開にされ開位置へと移動されるときに、下腕１８をレバーアーム２４及び開位置に向けて付勢する付勢力を下腕１８に提供する。これは、カポ１０の首部２への装着を非常に容易にし、下腕１８は、レバーアーム２４を移動させることは同時に開位置へと下腕１８を移動させる態様で、レバーアーム２４への取り付けにより、ばね３８により開に維持される。これは、また、２つの腕１８，２４の相対移動を低減し、それらがばたつくのを防止する。ばね３８は、また、カポ１０が閉じるとき、閉位置（図３）で、同様に、相乗的に、レバーアーム２４を、レバーアーム２４に向けて保持し付勢する。これは、レバーアーム２４を閉じ位置でレバーアーム２４を維持し、カポ１０を楽器の首部２上でロック状態に維持し、“落下”を防止し低減する。これは、相当な荷重が、カポ１０をアンロックし解放するためにレバーアーム２４を移動させるのに必要とされることを意味し、従って、事故的な解放の危険性を低減する。更に、ばね３８は、下腕１８と当接した状態に調整スクリュー２８の先端３２及びレバーアーム２４を保持しクランプする。これは、組立体と一体に保持し、また、首部２に装着されるときにこれらの要素間の望ましくないラトリングやばたつきを防止する。先端３２に接するように下腕１８を付勢するばね３８により付与される調整スクリュー２８への力は、また、調整スクリュー２８の所定位置を維持するのを補助する。このばね３８の付加、及び、付勢力は、それ故に、簡易で効率的な態様で多くの顕著な効果をもたらす。
【００３０】
認識されるように、ばね３８は、同一若しくは類似の付勢機能を達成するために他の実施例で他の適切な弾性付勢機構と置換されることができ、特に下腕１８を開位置へと付勢し、更に好ましい構成では、下腕１８とレバーアーム２４を一緒に付勢する。これは、同一の特徴に対する同様の参照番号を備える第１実施例と同じであり、それ故に、詳説しない。しかし、この実施例では、ばね３８は、下腕１８とレバーアーム２４の間の弾性体、好ましくはゴム若しくは弾性バンド１１２で置換される。
【００３１】
図７乃至図９は、第３の実施例によるカポを示す。これは、同様に、第１及び第２実施例に類似し、同様の参照番号が、同一の特徴に対して使用され、それ故に、主要な差異が、詳説される。このカポ２１０では、下腕１８とレバーアーム２４の間のばねが省略される。その代わり、ねじりばね２１２は、下腕１８の回転部２０まわりに搭載され、図８により明確に示すように、下腕１８及び側腕１６に当接する端部アーム２１４，２１６を有する。このねじりばね２１２は、これにより、下腕１８と側腕１６及びそれに伴い上腕１２の間に作用するように配設され、下腕１８を上腕１２から離れる方向に図７に示すような開位置に向かって付勢する。従って、他の実施例の要約として、ねじりばね２１２は、開に下腕１８を付勢し、カポ２１０の装着をより容易にし、カポ２１０及び下腕１８がねじりばね２１２の付勢力に抗して閉じられる。ねじりばね２１２は、また、同様に、調整スクリュー２８の先端３２と当接するように、レバーアーム２４に向けて下腕１８を付勢する。その結果、レバーアーム２４は、また、開位置へと付勢され、この開位置で維持され、また、好ましくは、ねじりばね２１２の力により端部ストッパフランジ４０に当接される。下腕１８及びレバーアーム２４は、それ故に、一緒に移動し、２つの腕１８，２４の相対移動を低減し、それらのばたつきを防止する。閉位置では、ねじりばね２１２は、同様に、下腕及びレバーアーム１８，２４を、互いに対して付勢し、従ってカポ１０がロック状態に付勢され、落下を低減する。認識されるように、ねじりばね２１２は、他の同様のばね及び付勢構造に置換されうる。
【００３２】
図１０及び図１１は、第４の実施例によるカポ３１０を示す。これは、異なるように見えるが、第３の実施例と類似し、上腕１２から離れる方向に下腕１８を付勢し、レバーアーム２４に当接するように付勢するため間に作用するねじりばね２１２を含む。それ故に、同様の参照番号が、同一の特徴に対して使用され、主要な差異が、詳説される。特に、この実施例では、調整スクリューは、調整レバーアーム組立体３３４により置換され、調整レバーアーム組立体３３４は、特に、その作動ライン及び軸が以下で詳説するようにレバーアーム回転部２６を通って延在するように、配置される。
【００３３】
レバーアーム２４は、回転ピン３２６によりカポ３１０の側腕１６に回転可能に接続され、回転ピン３２６は、レバーアーム２４が回転軸３２６，３３２まわりで側腕１６に対して回転するように、側腕１６及びレバーアーム２４の端部に画成された対応する穴３３０，３２８を通って延在する。
【００３４】
調整スクリュー組立体３３４は、細長い調整ロッド３３６を含み、細長い調整ロッド３３６は、下腕１８に当接する先端３３８を一端に有する。ロッド３３６の中央部３４０は、六角断面を有し、回転ピン３２６内の対応する六角断面穴３４２内に受け入れられキー挿入され、レバーアーム２４の回転軸３３２及び回転ピン３２６の軸に垂直に延在する。調整ロッド３３６は、これにより、回転部３２６の断面穴３４２内に回転が固定されるが、回転部３２６の軸３３２に垂直な軸方向に自由に移動することができる。認識されるように、調整ロッド３３６の中央部３４０及び断面穴は、他の方法でキー挿入されてもよく、他の対応する係合プロフィールを有してもよい。一端に外周の肩部リム３４６を有するナット部材３４４は、レバーアーム２４内の対応する段付き穴３４８内に回転可能に搭載される。刻み付ノブ３５０は、ナット部材３４４を回転させるためにナット部材３４４の反対側の端部上に固定される。ノブ３５０は、ナット部材３４４の軸に同心の凹部３５２を有し、ノブ３５０は、ノブ３５０が装着されたときに、レバーアーム２４の段付き穴３４８及びナット部材と同心のレバーアーム２４上の円形ボス３５４に当接する。ネット部材３４４は、これにより、ノブ３５０によりボア３４８内で回転可能であるが、段付き穴３４８内の肩部リム３４６の係合及びノブ３５０により所定位置に軸方向で固定される。先端３３８の反対側の、調整ロッド３３６の反対側端部は、螺子部３５６を有し、螺子部３５６は、調整ロッド３３６を保持するためにナット部材３４４内の螺子穴３５８内に受け入れられる。調整ロッド３３６及びその軸３６０は、これにより、レバーアーム２４に対して固定され、レバーアーム２４と共にレバーアーム回転軸３３２まわりに回転する。更に、調整可能なロッド３３６は、回転が固定されるので、ナット部材３４４がノブ３５０によりユーザにより回転されると、調整ロッド３３６の螺子端部３５６は、ナット部材３４４内を軸方向に移動し、調整ロッド３３６及び先端３３８は、後退又は前進し、調整スクリュー組立体３３４の先端３３８がレバーアーム２４から延在し突出する距離を変化させる。
【００３５】
その動作ライン及び軸３６０がレバーアーム軸３３２を通って延在するように調整スクリュー組立体３３４を配置することによって、調整スクリュー組立体３３４及びレバーアーム２４上の横方向の荷重が低減され、全体としての応力が低減される。特に、調整機構上の横方向の荷重を低減することは、調整機構の回転を容易にする。更に、この構成は、よりきちんとしたよりコンパクトな一体化された組み合わせられた構造を提供し、構成を単純化する。これは、別の追加の穴が、レバーアーム２４内に機械加工される必要が無いためである。このように、レバーアーム回転部３２６及び特に回転軸３３２を通って作用する調整スクリュー組立体３３４を備えるこの構成は、特に効果的である。ネット部材３４４内に配置されノブ３５０により収容されたスクリュー螺子部３５６を備え特定の調整スクリュー組立体３３４は、調整スクリュー組立体３３４を保護し、螺子を収容し、また、調整スクリュー組立体３３４の可動部が、引っかけられうる場所へとカポ３１０の外周を超えて突出するのを防止する。
【００３６】
図１０及び図１１に示すように、この実施例の側腕１６は、楽器の首部２に向けて内側に開口する中空の凹部３６２を含み、凹部３６２は、両側の側壁３６４により画成される。下腕１８の端部３６６は、側壁３６４間で凹部３６２内に嵌合されるような大きさの幅を有する。対の位置合わせされた穴３６８は、側壁３６４内に形成される。レバーアーム１８の端部３６６は、円筒状の回転ピン２０を受け入れるために側壁３６４内の穴３６８に位置合わせされた類似の穴３７０を有し、円筒状の回転ピン２０は、これらの穴３６８，３７０に嵌入され、この際、回転ピン２０の端部は、側壁の穴３６８内に保持され、これにより、側腕１６に下腕１８を回転可能に取り付ける。図示のように、Ｕ型のカバー部材３７２は、側腕１６の対応する溝３７４内に側腕１６の外部のまわりに設置されクリップされ、側壁穴３６８の端部を囲んで閉じ、回転ピン２０を保持する。
【００３７】
レバーアーム２４は、同様に、この実施例では、楽器の首部３及び下腕１８に向けて内側に開口した中空凹部３７６を有し、中空凹部３７６は、底壁３８０により互いに接続される両側の側壁３７８により画成される。側壁３７８は、側腕１６の端部を受け入れるように離間し、側腕１６の端部は、凹部３７６内でそれらの間に嵌合される。側壁３７８は、レバーアーム回転ピン３２６の端部を受け入れる位置合わせされた穴３２８を含み、側腕１６の側壁３６４は、回転ピン３２６を受け入れる対応する穴３３０を含み、これにより、レバーアーム回転軸３３２まわりに側壁にレバーアーム２４を回転可能に接続する。レバーアーム２４内の凹部３７６は、また、下腕１８を受け入れるような大きさにされ、この際、側壁３７８は、下腕１８の側部の近傍に位置して囲み、下腕１８は、凹部３７６の開口した上部を閉じる。他の実施例においてのように下腕１８は、レバーアーム２４に当接し、ばね２１２によりレバーアームに接するように付勢されるが、この場合、下腕１８は、レバーアームの凹部３７６内でレバーアーム２４の底壁３８０に当接する。調整機構及びレバーアーム回転部３２６も凹部３７６内に配置される。下腕１８及び調整機構３３４は、これにより、レバーアームの凹部３７６内に安全に受け入れられ収容され、従って保護される。
【００３８】
この実施例に示すように、上腕１２の下方側のパッド１４は、また、レバーアーム１２に沿って途中まで延在する。これは、側腕１６内の凹部３６２を閉じ、また、楽器に装着されるときに首部２の横側との側壁１６の当接を緩衝し、従って、カポ３１０からのダメージから楽器を保護する。認識されるように、この特徴は、他の実施例に容易に組み込むことができうる。
【００３９】
内部にナット部材３４４が嵌合される端部ボス３５４は、また、側腕１６の端部壁３７１の縁部に当接するように構成され、これにより、他の実施例の端部フランジ構成と類似する、レバーアーム２４の回転に対する制限ストッパを提供する。下腕１８の端部３８２は、また、下腕回転部を超えて突出してもよく、尾部を画成し、その遠い側の端部は、上部パッド１４の側腕延長部及び／又は側腕凹部３６２の底壁３７１に当接し（若しくは、他の実施例では、側腕１６の前壁の下側に当接し、凹部３６２の前側を閉じる）、必要とされる制限された動作範囲に下腕の回転を制限する。
【００４０】
これらの種々の実施例及びその特徴は、全て、改善されたカポ構成を提供する。しかしながら、認識されるように、多数の可能な修正及び変形が存在し、特に、種々の実施例の特徴は、多様に他の実施例で使用されてもよい。例えば、第１実施例（図１乃至図３）の下腕１８とレバーアーム２４を接続する代替のばね構成は、ねじりばね構成に加えて若しくは代えて、第４の実施例で使用されうる。第４の実施例の調整機構は、他の上述した実施例で調整スクリューの位置で使用されうり及び／又はレバーアーム２４の回転ピン３２６内でなくレバーアーム２４の穴内に搭載されうる。
【００４１】
本発明の主要な動作モードは、その好ましい実施例で説明され図示された。しかし、理解されるべきこととして、本発明は、その精神若しくは範囲から逸脱することなく、具体的に説明し図示した以外の態様で実施されてもよい。
【図１】
2010145998.tif 000003
【図２】
2010145998.tif 000004
【図３】
2010145998.tif 000005
【図４】
2010145998.tif 000006
【図５】
2010145998.tif 000007
【図６】
2010145998.tif 000008
【図７】
2010145998.tif 000009
【図８】
2010145998.tif 000010
【図９】
2010145998.tif 000011
【図１０】
2010145998.tif 000012
【図１１】
2010145998.tif 000013